(57)【要約】【課題】操作性が良好な押え具を提供する。【解決手段】押え具は、複数の係合凸部13を有するベース体11を備える。ベース体11には、内容物を押える押え体21を移動可能に取り付ける。押え体21には、ストッパ受部44を有するカバー体41を移動可能に取り付ける。押え体21のストッパ支持部24には、係合凸部13と係合する係合部54およびストッパ受部44に当接する当接部55を有するストッパ体51を回動可能に取り付ける。ストッパ体51を付勢体61で付勢し、当接部55がストッパ受部44に当接する。カバー体41を押え体21に対して内容物３から離れる方向に向けて移動させることにより、ストッパ体51を回動させて押え体21のベース体11に対するロックを解除する。【選択図】図１
2010035735.tif 000002
【特許請求の範囲】
【請求項１】
額縁の内側に嵌め込まれた内容物を押える押え具であって、
前記内容物の厚さ方向に並んで位置する複数の係合凸部を有し、前記額縁に取り付けられるベース体と、
ストッパ支持部を有し、前記ベース体に前記内容物の厚さ方向に移動可能に取り付けられ、前記内容物を押える押え体と、
ストッパ受部を有し、前記押え体に前記内容物の厚さ方向に移動可能に取り付けられたカバー体と、
前記係合凸部と係脱可能に係合する係合部および前記ストッパ受部に当接する当接部を有し、前記ストッパ支持部にて回動可能に支持されたストッパ体と、
前記当接部が前記ストッパ受部に当接するように前記ストッパ体を付勢する付勢体とを備え、
前記内容物が前記押え体にて押えられた状態時には、前記係合部と前記係合凸部との係合により前記押え体が前記ベース体に対してロックされ、
前記カバー体を前記押え体に対して前記内容物から離れる方向に向けて移動させると、前記ストッパ体が前記付勢体の付勢力に抗して回動して前記係合部と前記係合凸部との係合が解かれ、前記押え体の前記ベース体に対するロックが解除される
ことを特徴とする押え具。
【請求項２】
押え体は、弾性変形した状態で内容物に接触してこの内容物を押える弾性変形可能な押え板部を有する
ことを特徴とする請求項１記載の押え具。
【請求項３】
押え体は、係合受部を有し、
カバー体は、前記係合受部との係合により前記カバー体が前記押え体から抜けるのを防止する抜止用係合部を有する
ことを特徴とする請求項１または２記載の押え具。
【発明の詳細な説明】
【技術分野】
【０００１】
本発明は、額縁の内側に嵌め込まれた内容物を押える押え具に関するものである。
【背景技術】
【０００２】
従来、例えば下記の特許文献１に記載された押え具が知られている。
【０００３】
この従来の押え具は、作品等の内容物の厚さ方向に並んで位置する複数の係合凸部を有し額縁に取り付けられるベース体と、ベース体に内容物の厚さ方向に移動可能に取り付けられ内容物を押える押え体と、係合凸部と係合する係合部を有し押え体に内容物の厚さ方向に対して直交する方向に移動可能に取り付けられた押ボタンと、押ボタンを突出方向に付勢する付勢体とを備えている。
【０００４】
そして、内容物が押え体にて押えられた状態時には押ボタンの係合部と押え体の係合凸部との係合により押え体がベース体に対してロックされ、また例えば作品等の内容物を交換する場合には押え体による内容物の押えが解除される。
【特許文献１】特開平１０−８０３４７号公報
【発明の開示】
【発明が解決しようとする課題】
【０００５】
しかしながら、上記従来の押え具では、押え体による内容物の押えを解除するときには、押ボタンを押して押え体のロックを解除した状態のまま、押え体を押ボタンとともにベース体に対して内容物から離れる方向に向けて移動させなければならず、この押え解除操作に手間取るおそれがある。
【０００６】
本発明は、このような点に鑑みなされたもので、操作性が良好な押え具を提供することを目的とする。
【課題を解決するための手段】
【０００７】
請求項１記載の押え具は、額縁の内側に嵌め込まれた内容物を押える押え具であって、前記内容物の厚さ方向に並んで位置する複数の係合凸部を有し、前記額縁に取り付けられるベース体と、ストッパ支持部を有し、前記ベース体に前記内容物の厚さ方向に移動可能に取り付けられ、前記内容物を押える押え体と、ストッパ受部を有し、前記押え体に前記内容物の厚さ方向に移動可能に取り付けられたカバー体と、前記係合凸部と係脱可能に係合する係合部および前記ストッパ受部に当接する当接部を有し、前記ストッパ支持部にて回動可能に支持されたストッパ体と、前記当接部が前記ストッパ受部に当接するように前記ストッパ体を付勢する付勢体とを備え、前記内容物が前記押え体にて押えられた状態時には、前記係合部と前記係合凸部との係合により前記押え体が前記ベース体に対してロックされ、前記カバー体を前記押え体に対して前記内容物から離れる方向に向けて移動させると、前記ストッパ体が前記付勢体の付勢力に抗して回動して前記係合部と前記係合凸部との係合が解かれ、前記押え体の前記ベース体に対するロックが解除されるものである。
【０００８】
請求項２記載の押え具は、請求項１記載の押え具において、押え体は、弾性変形した状態で内容物に接触してこの内容物を押える弾性変形可能な押え板部を有するものである。
【０００９】
請求項３記載の押え具は、請求項１または２記載の押え具において、押え体は、係合受部を有し、カバー体は、前記係合受部との係合により前記カバー体が前記押え体から抜けるのを防止する抜止用係合部を有するものである。
【発明の効果】
【００１０】
請求項１に係る発明によれば、カバー体を押え体に対して内容物から離れる方向に向けて移動させると、ストッパ体が付勢体の付勢力に抗して回動して係合部と係合凸部との係合が解かれ、押え体のベース体に対するロックが解除されるため、カバー体を内容物から離れる方向に向けて移動させるワンアクションによって押え体による内容物の押えを容易に解除でき、操作性が良好である。
【００１１】
請求項２に係る発明によれば、押え体は、弾性変形した状態で内容物に接触してこの内容物を押える弾性変形可能な押え板部を有するため、押え体にて内容物を安定的に押えることができる。
【００１２】
請求項３に係る発明によれば、押え体の係合受部とカバー体の抜止用係合部との係合により、カバー体が押え体から抜けるのを適切に防止できる。
【発明を実施するための最良の形態】
【００１３】
本発明の押え具の一実施の形態を図面を参照して説明する。
【００１４】
図中１は押え具１で、この押え具１は、例えばアルミ製の略矩形環状の額縁２の内側に嵌め込まれた内容物３をその裏面から押えるものである。なお、便宜上、内容物３の裏面側を「上」とし、内容物３の表面側を「下」として以下説明する。
【００１５】
額縁２は、図２に示すように、複数の溝部４と、内容物３の表面を受け止める内容物受部５とを有している。
【００１６】
内容物３は、例えば上下に重ね合わされた裏板、段ボール、作品（写真、絵等）およびガラス板にて構成され、図２に示されるようにガラス板の表面の縁部が額縁２の内容物受部５にて受け止められ、裏板の裏面の縁部が複数の押え具１にて複数箇所で押えられ、内容物３が額縁２の内側から抜けないようになっている。
【００１７】
押え具１は、図１ないし図１１に示されるように、額縁２の溝部４に取り付けられ溝部４の長手方向にその溝部４に沿ってスライド移動可能な合成樹脂製のベース体（スタンド）11を備えている。
【００１８】
ベース体11は、額縁２の溝部４と係合しこの溝部４に沿って水平方向にスライド移動可能な溝係合部12と、内容物３の厚さ方向である上下方向に並んで位置する複数の逆止爪である係合凸部13と、互いに離間対向して位置する上下方向長手状の一対のガイド部14とを有している。各係合凸部13は、上下方向長手状で鉛直状の板部15の幅方向一端部にやや下向きの正面視略三角形状に形成されている。
【００１９】
また、押え具１は、ベース体11に内容物３の厚さ方向である上下方向にガイド部14に沿ってスライド移動可能に取り付けられ内容物３裏板の裏面を押える合成樹脂製の押え体21を備えている。
【００２０】
押え体21は、ベース体11のガイド部14と嵌合しこのガイド部14に沿って上下方向にスライド移動可能な一対の嵌合溝部22と、鉛直状の板部23から水平方向に突出する軸状のストッパ支持部24と、鉛直状の板部25から突出する断面略三角形状の複数、例えば３つの抜止用の係合受部26と、弾性変形した状態で内容物３に面状に接触してこの内容物３の裏板の裏面を押える弾性変形可能な押え板部27とを有している。
【００２１】
ストッパ支持部24は、第１円板31と、この第１円板31より径小な円柱状の支軸32と、この支軸32より径小な第２円板33とにて構成されている。押え板部27は、下方からみて略正方形状で、一辺部である基端部のみが水平状の板部34に繋がっており、基端から先端に向って徐々に下り傾斜する傾斜状に形成されている。すなわち、押え板部27は、弾性変形する前の状態では先端側が板部34より下方に向って突出しているが、内容物３と接触すると弾性変形して孔部35に入り込み、板部34と略同一面上に位置した状態となってその板部34とともに内容物３を押える（図３、図６、図７等参照）。また、図７に示されるように、押え体21は、板部34から上方に向って突出する円筒状のガイド部36を有している。
【００２２】
さらに、押え具１は、押え体21に内容物３の厚さ方向である上下方向にガイド部36に沿ってスライド移動可能に取り付けられ押え体21を覆う合成樹脂製のカバー体41を備えている。つまり、このカバー体41は押え体21に対して上下動可能に組み付けられ、これら一体化された押え体21およびカバー体41がベース体11に対して上下動可能となっている。
【００２３】
カバー体41は、水平状の板部43から下方に向って突出し押え体21のガイド部36内に嵌入されこのガイド部36に沿って上下方向にスライド移動可能な円筒状の嵌入筒部42と、板部43から下方に向って突出するストッパ受部44とを有している。このストッパ受部44は、図１、図８および図１１等に示されるように、横断面が略Ｌ字の柱部分45と、この柱部分45の下端に設けられた底部分46とにて構成され、この底部分46の上面が水平状のストッパ受面47となっている。
【００２４】
また、カバー体41の板部43の３つの辺部から鉛直状の板部48が下方に向って突出し、各板部48の下端部内面には、押え体21の係合受部26との係合によりカバー体41が押え体21から抜けるのを防止する断面略三角形状の複数、例えば３つの抜止用係合部49が突設されている。また、互いに離間対向する板部48の上端部外面には、カバー体41を押え体21に対して内容物３から離れる方向つまり上方に向けて移動させる際に指を掛ける水平方向長手状の指掛用突部50が突設されている。
【００２５】
また、押え具１は、押え体21の軸状のストッパ支持部24にてこのストッパ支持部24を中心として上下方向に回動可能に支持されベース体11の係合凸部13との係合により押え体21をベース体11に対してロック、つまりベース体11に対する押え体21の上動を規制するストッパ体51を備えている。
【００２６】
ストッパ体51は、ストッパ支持部24に水平方向の軸線を中心として回動可能に取り付けられＥリング等の抜止部材52にて抜止された円形環状の取付部53と、ベース体11の係合凸部13と係脱可能に係合する爪状の係合部54と、カバー体41のストッパ受部44のストッパ受面47に当接する板状の当接部55とを有している。係合部54は、隣り合う係合凸部13間に入り込んで係合凸部13と係合する正面視略三角形状の係合部分56を先端側に有している。また、当接部55は、ストッパ受面47と当接する当接面57を有している。
【００２７】
さらに、押え具１は、ストッパ体51の当接部55の当接面57がカバー体41のストッパ受部44のストッパ受面47に当接するようにストッパ体51を下方側に付勢する付勢体61を備えている。付勢体61は、例えば押え体21とストッパ体51との間に配設されたねじりばね62にて構成されている。ねじりばね62は押え体21のストッパ支持部24の外周側に装着され、ねじりばね62の一端部は押え体21のばね受部63に当接し、ねじりばね62の他端部はストッパ体51のばね受部64に当接している。
【００２８】
次に、上記押え具１の作用等を説明する。
【００２９】
額縁２の内側に嵌め込んだ内容物３を押え具１で抜け出ないように押える場合には、ベース体11を額縁２の溝部４に沿ってスライドさせて位置決めした後、カバー体41の板部43を上方から指で押すことにより、カバー体41および押え体21をベース体11に対して内容物３に接近する方向である下方に向けて移動させる。こうしてカバー体41および押え体21をベース体11に対して押し下げると、押え体21の押え板部27が内容物３に押し付けられて弾性変形し、この弾性変形した押え板部27と押え体21の下面の板部34とにて内容物３が押えられる。
【００３０】
ここで、カバー体41および押え体21が内容物３に接近する方向に移動する下動時には、ストッパ体51は、係合凸部13にて持ち上げられるように付勢体61の付勢力に抗して上方回動するため、ベース体11に対するカバー体41および押え体21の下動が許容される。
【００３１】
また、この押え体21にて額縁２内の内容物３が押えられた状態時には、図９に示すように、ストッパ体51の係合部54の係合部分56と内容物３の厚さ寸法に対応した位置のベース体11の係合凸部13とが互いに係合し、この係合により押え体21がベース体11に対してロックされ、ベース体11に対する押え体21の上動が規制される。
【００３２】
また一方、内容物３の作品等を交換するに際し、押え体21による内容物３の押えを解除する場合には、図１０および図１１に示すように、操作者は、カバー体41の左右の指掛用突部50に例えば親指と人差指とを掛けて、カバー体41を押え体21に対して内容物３から離れる方向である上方に向けて移動させる。
【００３３】
こうしてカバー体41を押え体21に対して若干持ち上げると、ストッパ体51が付勢体61の付勢力に抗して回動し、係合部54と係合凸部13との係合が解かれ、その結果、押え体21のベース体11に対するロックが解除され、ベース体11に対する押え体21の上動が許容される。
【００３４】
このため、操作者は、カバー体41の左右の指掛用突部50に例えば親指と人差指とを掛けたまま、カバー体41を押え体21とともにベース体11に対して内容物３から離れる方向である上方に向けて持ち上げ、押え体21による内容物３の押えを解除する。なお、一体化された押え体21およびカバー体41をベース体11から取り外すことも可能である。すなわち、互いに一体化された押え体21およびカバー体41は、ベース体11に対して脱着可能となっている。
【００３５】
そして、このような押え具１によれば、カバー体41を押え体21に対して内容物３から離れる方向に向けて移動させると、ストッパ体51が付勢体61の付勢力に抗して回動して係合部54と係合凸部13との係合が解かれ、押え体21のベース体11に対するロックが解除されるため、カバー体41を内容物３から離れる方向に向けて移動させるワンアクションつまりベース体11に対するカバー体41の持ち上げ操作のみによって、押え体21による内容物３の押えを容易に解除でき、よって、従来に比べて、操作性がきわめて良好である。
【００３６】
また、押え体21は、弾性変形した状態で内容物３に接触してこの内容物３を押える弾性変形可能な押え板部27を有するため、押え体21にて額縁２内の内容物３を安定的かつ確実に押えることができる。
【００３７】
さらに、押え体21の係合受部26とカバー体41の抜止用係合部49との係合により、カバー体41が押え体21から上方に抜けるのを適切に防止できる。
【００３８】
なお、上記実施の形態では、互いに一体化された押え体21およびカバー体41がベース体11に対して脱着可能な構成について説明したが、例えば互いに一体化された押え体21およびカバー体41がベース体11から抜けない構成でもよい。
【図面の簡単な説明】
【００３９】
【図１】本発明の一実施の形態に係る押え具の分解斜視図である。
【図２】同上押え具の使用状態を示す斜視図である。
【図３】同上押え具の正面図である。
【図４】同上押え具の側面図である。
【図５】同上押え具の平面図である。
【図６】同上押え具の底面図である。
【図７】同上押え具の押え体およびカバー体の断面図である。
【図８】同上カバー体の側面図である。
【図９】同上押え具のロック状態の背面図である。
【図１０】同上押え具のロック解除状態の背面図である。
【図１１】同上押え具のロック解除状態の一部切り欠き背面図である。
【符号の説明】
【００４０】
１    押え具
２    額縁
３    内容物
11    ベース体
13    係合凸部
21    押え体
24    ストッパ支持部
26    係合受部
27    押え板部
41    カバー体
44    ストッパ受部
49    抜止用係合部
51    ストッパ体
54    係合部
55    当接部
61    付勢体
【図１】
2010035735.tif 000003
【図２】
2010035735.tif 000004
【図３】
2010035735.tif 000005
【図４】
2010035735.tif 000006
【図５】
2010035735.tif 000007
【図６】
2010035735.tif 000008
【図７】
2010035735.tif 000009
【図８】
2010035735.tif 000010
【図９】
2010035735.tif 000011
【図１０】
2010035735.tif 000012
【図１１】
2010035735.tif 000013